(57)【特許請求の範囲】
【請求項１】
所定のメールアドレス宛に送信された電子メールを格納するサーバ装置と通信する通信手段と、
前記メールアドレス宛に送信された電子メールの中から、メモ書きを示す文言として予め設定された文言がタイトル又は本文に含まれる電子メールを前記サーバ装置から収集する収集手段と、
収集された前記電子メールのタイトル及び本文の少なくとも一方を、予め設定された文言の順位順に、デスクトップ画面に重畳して貼り付けた表示形式の付箋画像で画面に表示する表示手段と、を備え、
前記表示手段は、前記文言の順位順が同一である複数の付箋画像を、前記デスクトップ画面の、文言の順位順に重畳して貼り付けられた位置に、さらに重ねて貼り付けた表示形式で表示する表示装置。
【請求項２】
前記デスクトップ画面における付箋画像の操作を受け付ける操作手段と、
収集された前記電子メールと、当該電子メールの付箋画像に行われた操作を示す操作情報とを記憶する記憶手段と、を更に備え、
前記表示手段は、前記記憶された電子メールの付箋画像を、当該付箋画像の操作情報に示された操作を反映して画面に表示する、
請求項１に記載の表示装置。
【請求項３】
前記操作情報は、前記デスクトップ画面における付箋画像を操作して貼り付けた位置、又は付箋画像の削除の有無である、
請求項２に記載の表示装置。
【請求項４】
所定のメールアドレス宛に送信された電子メールを格納するサーバ装置と通信する通信手段を具備する表示装置のコンピュータを、
前記メールアドレス宛に送信された電子メールの中から、メモ書きを示す文言として予め設定された文言がタイトル又は本文に含まれる電子メールを前記サーバ装置から収集する収集手段と、
収集された前記電子メールのタイトル及び本文の少なくとも一方を、予め設定された文言の順位順に、デスクトップ画面に重畳して貼り付けた表示形式の付箋画像で画面に表示する表示手段と、して機能させ、
前記表示手段は、前記文言の順位順が同一である複数の付箋画像を、前記デスクトップ画面の、文言の順位順に重畳して貼り付けられた位置に、さらに重ねて貼り付けた表示形式で表示するプログラム。
【請求項５】
前記デスクトップ画面における付箋画像の操作を受け付ける操作手段と、
収集された前記電子メールと、当該電子メールの付箋画像に行われた操作を示す操作情報とを記憶する記憶手段と、して更に機能させ、
前記表示手段は、前記記憶された電子メールの付箋画像を、当該付箋画像の操作情報に示された操作を反映して画面に表示する、
請求項４に記載のプログラム。
【請求項６】
前記操作情報は、前記デスクトップ画面における付箋画像を操作して貼り付けた位置、又は付箋画像の削除の有無である、
請求項５に記載のプログラム。
【発明の詳細な説明】
【技術分野】
【０００１】
本発明の実施形態は、表示装置及びプログラムに関する。
【背景技術】
【０００２】
従来、ＰＣ（Personal  Computer）等の端末装置では、電子メールを活用してスケジュールへの対処を促す通知をディスプレイ画面に表示するものがある。
【発明の概要】
【発明が解決しようとする課題】
【０００３】
近年では、携帯電話などでメモ書きしたものを電子メールで所定のメールアドレスに送信し、自宅や会社の端末装置でそのメールアドレス宛の電子メールを後で確認することで、携帯電話を持ち歩いている外出先などで閃いたアイデアを忘れないようにする場合がある。しかしながら、外出先から戻った後などに種々の電子メールの中からメモ書きした電子メールを探すのは手間であり、不便であった。
【課題を解決するための手段】
【０００４】
上述した課題を解決するために、実施形態の表示装置は、所定のメールアドレス宛に送信された電子メールを格納するサーバ装置と通信する通信手段と、前記メールアドレス宛に送信された電子メールの中から、メモ書きを示す文言として予め設定された文言がタイトル又は本文に含まれる電子メールを前記サーバ装置から収集する収集手段と、収集された前記電子メールのタイトル及び本文の少なくとも一方を、予め設定された文言の順位順に、デスクトップ画面に重畳して貼り付けた表示形式の付箋画像で画面に表示する表示手段と、を備え、前記表示手段は、前記文言の順位順が同一である複数の付箋画像を、前記デスクトップ画面の、文言の順位順に重畳して貼り付けられた位置に、さらに重ねて貼り付けた表示形式で表示する。
【０００５】
また、実施形態のプログラムは、所定のメールアドレス宛に送信された電子メールを格納するサーバ装置と通信する通信手段を具備する表示装置のコンピュータを、前記メールアドレス宛に送信された電子メールの中から、メモ書きを示す文言として予め設定された文言がタイトル又は本文に含まれる電子メールを前記サーバ装置から収集する収集手段と、収集された前記電子メールのタイトル及び本文の少なくとも一方を、予め設定された文言の順位順に、デスクトップ画面に重畳して貼り付けた表示形式の付箋画像で画面に表示する表示手段と、して機能させ、前記表示手段は、前記文言の順位順が同一である複数の付箋画像を、前記デスクトップ画面の、文言の順位順に重畳して貼り付けられた位置に、さらに重ねて貼り付けた表示形式で表示する。
【図面の簡単な説明】
【０００６】
【図１】図１は、実施形態にかかるシステムの構成を示す図である。
【図２】図２は、端末装置のハードウエア構成を模式的に示すブロック図である。
【図３】図３は、メモ情報収集部が行う動作を示すフローチャートである。
【図４】図４は、メモ情報表示部が行う動作を示すフローチャートである。
【図５】図５は、デスクトップ画面の一例を示す概念図である。
【発明を実施するための形態】
【０００７】
以下に、本実施形態にかかる表示装置及びプログラムの詳細を説明する。本実施形態では、表示装置の一例としてディスプレイが接続されたＰＣ等の端末装置を例示し、その端末装置が電子メールを管理するサーバ装置とＷＡＮ（Wide  Area  Network）やインターネット等の通信ネットワークを介して通信接続するシステムを例示する。
【０００８】
図１は、実施形態にかかるシステム１００の構成を示す図である。図１に示すように、システム１００は、ＷＡＮやインターネット等の通信ネットワークＮにサーバ装置１、端末装置２、３、携帯電話４が接続する構成である。
【０００９】
サーバ装置１は、ＭＴＡ（Mail  Transfer  Agent）やＭＤＡ（Mail  Delivery  Agent）等のメールサーバとしての機能を有し、通信ネットワークＮを介して接続する端末装置２、３、携帯電話４等の情報機器に電子メールにかかるサービスを提供する。具体的には、サーバ装置１は、ＳＭＴＰ（Simple  Mail  Transfer  Protocol）などの通信プロトコルを介した電子メールを配信し、自機が管理するドメインにかかるメールアドレス宛に配信された電子メールをスプール（格納）する。また、サーバ装置１は、端末装置２、３、携帯電話４等の情報機器からの、サーバ装置１が管理するドメインにかかるメールアドレス宛の電子メールの読み出しに応じて、スプールしている電子メールを送信する。この電子メールの読み出しは、ＰＯＰ（Post  Office  Protocol）やＩＭＡＰ（Internet  Message  Access  Protocol）などの通信プロトコルを用いて行われる。なお、通信プロトコルを用いた電子メールの読み出しは、電子メールのタイトル及び本文の少なくとも一方であってもよい。
【００１０】
端末装置２、３、携帯電話４は、自宅や会社、外出先などでユーザが使用する情報機器であり、サーバ装置１等のメールサーバを介して電子メールの送受信を行うＭＵＡ（Mail  User  Agent）としての機能、すなわちメールクライアントとしての機能を有する。メールクライアントとしての機能には、所定のメールアドレス宛の電子メールを作成し、作成した電子メールを、ＳＭＴＰ等の所定の通信プロトコルでサーバ装置１へ送信する機能、サーバ装置１がスプールしている所定のメールアドレス宛の電子メールをＰＯＰやＩＭＡＰ等の所定の通信プロトコルで受信し、受信した電子メールを表示する機能などがある。
【００１１】
なお、本実施形態では、端末装置３や携帯電話４において、メモ書きした電子メール（以下、「メモ情報」と呼ぶ）を作成して自分のメールアドレス宛に送信し、端末装置２において、自分のメールアドレス宛に送信された電子メールの中からメモ情報を画面に表示する構成、すなわち端末装置２を表示装置として用いる構成を例示する。しかしながら、表示装置を端末装置２として用いる構成は一例であって、端末装置３や携帯電話４を表示装置として用いてよいことは言うまでもないことである。
【００１２】
ここで、端末装置２の詳細について説明する。図２は、端末装置２のハードウエア構成を模式的に示すブロック図である。図２に示すように、端末装置２は、ＣＰＵ２１（Central  Processing  Unit）、ＲＯＭ２２（Read  Only  Memory）、ＲＡＭ２３（Random  Access  Memory）、ＨＤＤ２４（Hard  Disk  Drive）、ディスプレイ２５、入力デバイス２６及び通信Ｉ／Ｆ２７を有している。端末装置２の各部は、バスライン２８により電気的に接続される。
【００１３】
ＣＰＵ２１は、ＲＯＭ２２に記憶されたシステムプログラムやＨＤＤ２４に記憶されたプログラム２４１をＲＡＭ２３の作業領域に展開して順次実行することで、端末装置２の動作を中央制御する。具体的には、ＣＰＵ２１は、ＨＤＤ２４に記憶されたプログラム２４１を順次実行することにより、メモ情報収集部２１１、メモ情報表示部２１２として機能する。
【００１４】
ＲＯＭ２２は、ＣＰＵ２１が起動時などに実行するシステムプログラムや初期設定などの各種設定情報を記憶する。ＲＡＭ２３は、ＣＰＵ２１がプログラム２４１等を実行する際に一時的にデータを記憶するための作業領域を提供する。ＨＤＤ２４は、ＣＰＵ２１が実行するプログラム２４１の他、プログラム２４１を実行する際に必要な各種設定情報を記憶する。プログラム２４１を実行する際に必要な各種設定情報には、通信ネットワークＮ上におけるサーバ装置１のアドレス情報（例えばインターネットアドレス等）、サーバ装置１にログオンして電子メール等の各種サービスを利用するためのアカウント情報（ログイン名（ユーザのメールアドレス）、パスワード等）、サーバ装置１にスプールされている電子メールの中からメモ情報を抽出するための、メモ書きを示す文言が設定されたメモ抽出情報（詳細は後述する）などがある。
【００１５】
ディスプレイ２５は、ＬＣＤ（Liquid  Crystal  Display）等であり、ＣＰＵ２１の制御の元で画面表示を行う。入力デバイス２６は、キーボード、マウス、タッチパネル等であり、ユーザからの操作入力を受け付ける。通信Ｉ／Ｆ２７は、通信ネットワークＮに接続するインタフェースであり、ＣＰＵ２１の制御のもとで所定の通信プロトコルを用いた通信を行う。具体的には、通信手段としての通信Ｉ／Ｆ２７は、ＣＰＵ２１の制御のもとで通信ネットワークＮを介してサーバ装置１と通信する。
【００１６】
メモ情報収集部２１１は、アカウント情報として予め設定されたメールアドレス宛に送信された電子メールの中から、メモ抽出情報に設定された文言がタイトル又は本文に含まれる電子メール（メモ情報）をサーバ装置１から収集する。このメモ情報収集部２１１による電子メールの収集は、端末装置２の起動時、入力デバイス２６により収集の操作指示があった場合の他、所定の時間間隔で行われてよい。
【００１７】
メモ情報表示部２１２は、メモ情報収集部２１１により収集された電子メールのタイトル及び本文の少なくとも一方を、ディスプレイ２５の画面に表示する。このメモ情報表示部２１２による画面への表示は、メモ情報収集部２１１により電子メールの収集が行われたタイミングの他、端末装置２の起動時や所定の時間間隔で行われてもよい。
【００１８】
ここで、メモ情報収集部２１１の動作の詳細について説明する。図３は、メモ情報収集部２１１が行う動作を示すフローチャートである。図３に示すように、処理が開始されると、メモ情報収集部２１１は、通信ネットワークＮを介して接続するサーバ装置１より、設定されたメールアドレス宛の電子メールの読み出しを行う（Ｓ１０）。具体的には、アドレス情報をもとに、サーバ装置１への通信接続を行い、アカウント情報をもとにサーバ装置１へログオンする。次いで、ログオンしたサーバ装置１より、ユーザのメールアドレス宛に送信されてスプールされている電子メールのタイトル、本文を順次読み出す。
【００１９】
次いで、メモ情報収集部２１１は、順次読み出された電子メールのタイトル、本文に、メモ抽出情報に設定された文言が含まれているか否かをチェックする（Ｓ１１）。メモ抽出情報に設定されている文言は、メモ書きのタイトルや本文として用いられる頻度が高い文言であり、例えば「至急」、「確認」、「重要」、「候補日」、「メモ」、「アイデア」、「ＴＯＤＯ」などである。
【００２０】
なお、メモ抽出情報には、上述した文言が重視する文言順に順位をつけて列挙されている。例えば緊急を要する「至急」等の文言は重視する順が高いことから、最初の方に列挙される。次いで、「確認」、「重要」などの文言は緊急性は高くないが、確認が必要なメモ書きを示すことから、緊急を要する文言の次に列挙される。次いで、「候補日」、「メモ」、「アイデア」、「ＴＯＤＯ」など単なるメモ書きを示す文言は、確認が必要なメモ書きを示す文言の次に列挙される。したがって、ユーザのメールアドレス宛に送信されてスプールされている電子メールの中から、メモ抽出情報に列挙されている順に文言が含まれているか否かを順次チェックすることで、メモ書きとして重視する順位が高い順にメモ情報を収集することが可能となる。
【００２１】
次いで、メモ情報収集部２１１は、順次読み出された電子メールの中に、メモ抽出情報に設定された文言が含まれたメモ情報が存在するか否かを判定する（Ｓ１２）。メモ情報が存在する場合（Ｓ１２：ＹＥＳ）、メモ情報収集部２１１は、メモ情報が存在する電子メールを所定のフォルダに格納し（Ｓ１３）、処理を終了してリターンする。この時、メモ情報収集部２１１は、メモ情報が存在する電子メールのタイトル、本文のそれぞれにタグ付けを行ったＸＭＬ（eXtensible  Markup  Language）形式で、フォルダへの格納を行う。なお、電子メールをフォルダへ格納する際には、メモ抽出情報に列挙されている順に文言が含まれているか否かをチェックして収集した順に、すなわちメモ書きとして重視する順に順位を示すタグ付けなどを行って格納する。一方、メモ情報が存在しない場合（Ｓ１２：ＮＯ）は、電子メールをフォルダに格納することなく、メモ情報収集部２１１の処理を終了してリターンする。
【００２２】
次に、メモ情報表示部２１２の動作の詳細について説明する。図４は、メモ情報表示部２１２が行う動作を示すフローチャートである。図４に示すように、処理が開始されると、メモ情報表示部２１２は、メモ情報が存在する電子メールが格納されるフォルダをチェックし（Ｓ２０）、そのフォルダに電子メールが格納されているか否かを判定する（Ｓ２１）。
【００２３】
電子メールが格納されている場合（Ｓ２１：ＹＥＳ）、メモ情報表示部２１２は、格納されている電子メールを読み出す（Ｓ２２）。次いで、メモ情報表示部２１２は、読み出した電子メールのタイトル及び本文の少なくとも一方をディスプレイ２５のデスクトップ画面上に付箋画像として表示する（Ｓ２３）。
【００２４】
したがって、ユーザは、サーバ装置１にスプールされている種々の電子メールの一つ一つを確認して、端末装置３や携帯電話４でメモ書きして送信した電子メールを探すことなく、メモ書きした電子メールを容易に見出すことができる。なお、複数の電子メールがフォルダに格納されている場合、メモ情報表示部２１２は、メモ書きとして重視する順位が示されたタグを参照し、その順位順に各々の電子メールの付箋画像を表示する。したがって、ユーザは、メモ書きとして重視する順位が高い電子メールを容易に見出すことができる。
【００２５】
図５は、デスクトップ画面Ｇの一例を示す概念図である。図５に示すように、メモ情報表示部２１２により表示される付箋画像Ｇ１１〜Ｇ１３は、デスクトップ画面Ｇに重畳して貼りつけた表示形式の画像である。付箋画像Ｇ１１〜Ｇ１３には、ＸＭＬ形式でフォルダに保存された電子メールから、タグ付けされているタイトル、本文が読み出されて表記される。また、付箋画像Ｇ１１〜Ｇ１３は、デスクトップ画面Ｇの右上から順に、メモ書きとして重視する順位が高い順に並べて表示される。具体的には、「至急」などの緊急を要する文言を含む電子メールの付箋画像Ｇ１１、「重要」などの緊急性は高くないが、確認が必要な文言を含む電子メールの付箋画像Ｇ１２、「候補日」などの単なるメモ書きを示す文言を含む電子メールの付箋画像Ｇ１３の順に表示される。
【００２６】
このように、デスクトップ画面Ｇに重畳して貼りつけた表示形式で最前面に付箋画像Ｇ１１〜Ｇ１３が表示されることから、ユーザは付箋画像Ｇ１１〜Ｇ１３を容易に見出すことができる。貼りつけた表示形式とは、デスクトップ画面Ｇ上に貼りつけた付箋紙のごとく、付箋画像をカーソルなどでポイントしてドラッグすることで貼付け位置の変更や、カーソルなどでポイントした際に消去指示を入力することで削除などの操作が容易なことを意味する。なお、上述した操作の履歴は、ＸＭＬ形式で保存される電子メールにおいて、デスクトップ画面Ｇ上における表示位置や、削除の有無を示すタグが付されて記録される。ＸＭＬ形式で保存される電子メールを読み出して付箋画像を表示する際には、このタグを読み出すことで、前回までに行われた操作を反映した付箋画像の表示が可能となる。
【００２７】
なお、本実施形態では、デスクトップ画面Ｇの右上から順に、メモ書きとして重視する順位が高い順に付箋画像Ｇ１１〜Ｇ１３を並べて表示する構成を例示したが、表示のレイアウトについては上述した構成に限定しない。例えば、順位の高い付箋画像をより大きく表示する又は色つきで表示するなど、大きさや色などの表示態様を順位順に変更するものであってもよい。
【００２８】
なお、本実施形態の端末装置２で実行されるプログラム２４１は、ＲＯＭ等に予め組み込まれて提供されてよい。また、本実施形態の端末装置２で実行されるプログラム２４１は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００２９】
さらに、本実施形態の端末装置２で実行されるプログラム２４１を、インターネット等のネットワークに接続されたコンピュータ上に格納し、ネットワーク経由でダウンロードさせることにより提供するように構成しても良い。また、本実施形態の端末装置２で実行されるプログラム２４１をインターネット等のネットワーク経由で提供または配布するように構成しても良い。
【００３０】
本実施形態の端末装置２で実行されるプログラム２４１は、上述した各部（メモ情報収集部２１１、メモ情報表示部２１２）を含むモジュール構成となっており、実際のハードウェアとしてはＣＰＵ（プロセッサ）が上記ＲＯＭからプログラム２４１を読み出して実行することにより上記各部が主記憶装置上にロードされ、主記憶装置上に生成されるようになっている。
【符号の説明】
【００３１】
１００…システム、１…サーバ装置、２、３…端末装置、４…携帯電話、２１…ＣＰＵ、２２…ＲＯＭ、２３…ＲＡＭ、２４…ＨＤＤ、２５…ディスプレイ、２６…入力デバイス、２７…通信Ｉ／Ｆ、２８…バスライン、２１１…メモ情報収集部、２１２…メモ情報表示部、２４１…プログラム、Ｇ…デスクトップ画面、Ｇ１１〜Ｇ１３…付箋画像、Ｎ…通信ネットワーク
【先行技術文献】
【特許文献】
【００３２】
【特許文献１】特開２００９−２２３８４０号公報
【図１】
0005302348.tif 000002
【図２】
0005302348.tif 000003
【図３】
0005302348.tif 000004
【図４】
0005302348.tif 000005
【図５】
0005302348.tif 000006